(57)【要約】【課題】培地に種を直接打ち込んで播種することで、作業の省力化と能率の向上を図ることができ、発芽勢、発芽率等が揃って苗立ちを向上させることができる播種方法を提供する。【解決手段】筒体２とその内部を昇降する押し込み棒３を備えた打ち込み具１を用い、筒体２に設けた種ａの投入部４から筒体２内に種ａを供給し、筒体２内に位置させた種ａを押し込み棒３で培地Ａ内に打ち込むことによって播種する。【選択図】図１
2008136449.tif 000002
【特許請求の範囲】
【請求項１】
筒体とその内部を昇降する押し込み棒を備えた打ち込み具を用い、筒体内に位置させた種を押し込み棒で培地内に打ち込むことによって播種することを特徴とする播種方法。
【請求項２】
上記筒体に設けた種の投入部から筒体内に種を供給し、筒体内に位置させた種を押し込み棒で培地内に打ち込むことによって播種することを特徴とする請求項１に記載の播種方法。
【請求項３】
上記押し込み棒が先端に種の吸着機能を備え、先端で種を吸着した押し込み棒を筒体内に位置させ、この押し込み棒で種を培地内に打ち込むことによって播種することを特徴とする請求項１に記載の播種方法。
【請求項４】
上記種は、テープの長さ方向に一定の間隔で担持されたものを用い、押し込み棒で種をテープから離脱させて培地内に打ち込み、この打ち込み毎にテープを間歇送りして筒体内に位置させることを特徴とする請求項１に記載の播種方法。
【請求項５】
上記種は、保形性があって培地内で発芽に適した材質の媒体で包まれているものを用いることを特徴とする請求項１乃至４の何れかに記載の播種方法。
【発明の詳細な説明】
【技術分野】
【０００１】
この発明は、培地内に種を機械的に打ち込むことによって播く播種方法に関する。
【背景技術】
【０００２】
従来の播種方法、例えば、水稲の種を培地に直播する場合の播種方法は、培地に所定深さの穴を開け、この穴底に種を落とし込み、その後穴を覆土するようにしているのが通例である。
【発明の開示】
【発明が解決しようとする課題】
【０００３】
ところで、培地に開けた穴の穴底に種を落とし込み、その後穴を覆土する播種方法は、穴開け、種の落とし込み、覆土の三工程が必要になり、作業に手間と時間がかかって能率が悪いと共に、穴の深さが不均一になりやすく、種の埋設深さが異なることで発芽状態にバラツキが生じやすい。
【０００４】
また、穴に対して種をランダムに投入するため、発芽の方向や発芽勢、発芽率等に差異が生じるという問題がある。
【０００５】
そこで、この発明の課題は、培地に種を直接打ち込んで播種することで、作業の省力化と能率の向上を図ることができ、しかも、発芽勢、発芽率等が揃って苗立ちを向上させることができる播種方法を提供することにある。
【課題を解決するための手段】
【０００６】
上記のような課題を解決するため、この発明は、筒体とその内部を昇降する押し込み棒を備えた打ち込み具を用い、筒体内に位置させた種を押し込み棒で培地内に打ち込むことによって播種する構成を採用したものである。
【０００７】
上記筒体に設けた種の投入部から筒体内に種を供給し、筒体内に位置させた種を押し込み棒で培地内に打ち込むことによって播種するようにすることができる。
【０００８】
また、上記押し込み棒が先端に種の吸着機能を備え、先端で種を吸着した押し込み棒を筒体内に位置させ、この押し込み棒で種を培地内に打ち込むことによって播種するようにしてもよい。
【０００９】
更に、上記種に、テープの長さ方向に種が一定の間隔で担持されたものを用いるか、保形性があって培地内で発芽に適した材質の媒体で包まれているものを用いることができる。
【００１０】
ここで、打ち込み具の押し込み棒は、空気圧、バネ圧、電動、火薬の爆発力等を駆動源として下降し、培地内の所定深さ位置に種を打ち込むものであり、この押し込み棒で種を機械的に培地内へ打ち込むことにより、種の埋設深さが一定となる。
【００１１】
上記テープは、種を二枚のテープで挟むことにより、長さ方向に一定間隔の配置となり、種の保持部分に切れ目等を設けることにより、押し込み棒が切れ目の部分でテープを支障なく貫通すると共に、この貫通時に押し込み棒の先端で種を押し出すことができる。
【００１２】
また、種を包む発芽に適した材質の媒体としては、培地の水分で融けたり分解する紙粘土、土、各種水溶性材料を挙げることができ、何れの場合も、種は一粒でも複数粒であってもよい。
【発明の効果】
【００１３】
この発明によると、打ち込み具の押し込み棒で種を機械的に培地内へ打ち込むようにしたので、播種が機械的に能率よく行え、穴開け方式よりも工程数が少なく、覆土も不要になるので、播種作業の省力化が図れる。
【００１４】
また、打ち込み具の押し込み棒で種を機械的に培地内へ打ち込むので、種の埋設深さが一定となり、均一な発芽が得られることになる。
【００１５】
更に、種を発芽に適した媒体で包むことで、発芽の方向や発芽勢、発芽率等のバラツキの発生がなくなり、苗立ちがよくなる。
【発明を実施するための最良の形態】
【００１６】
以下、この発明の実施の形態を添付図面に基づいて説明する。
【００１７】
この発明の播種方法は、打ち込み具を用い、種を培地内に打ち込むことによって播種するようにしたものであり、使用する打ち込み具の構成と種の形態とによって、種を直接培地に押し込むピストル方式と、長さ方向に一定の間隔で種を担持したテープを用いるマシンガン方式がある。
【００１８】
図１と図２は、ピストル方式の異なった例を示し、図１に示す第１のピストル方式は、打ち込み具１が、上下に長く下部先端を培地Ａ上に当接させる筒体２の内部に押し込み棒３を上下動自在に収納し、前記筒体２の途中に種ａの投入部４を設けて形成され、この打ち込み具１は、片手で保持できる程度の大きさと重さを有し、筒体２に対して引き上げた押し込み棒３を上昇位置に係止し、適所に設けた引き金を引くと係止が解け、空気圧、バネ圧、電動、火薬の爆発力等の駆動源によって押し込み棒３が下降し、筒体２内に投入された種ａを培地Ａ内の所定深さ位置に打ち込むものである。
【００１９】
第１のピストル方式は、上記のような打ち込み具１を用いて実施するものであり、図１（ａ）のように、押し込み棒３を上昇位置に係止した打ち込み具１を手で保持し、その筒体２の下部先端を培地Ａ上に当接させた状態で、投入部４から筒体２内に種ａを投入し（図１（ｂ））、この状態で引き金を引くと、押し込み棒３が下降動し、筒体２内の種ａを先端で押し下げて培地Ａ内の所定深さの位置まで押し込み（図１（ｄ））、この後、押し込み棒３を上昇位置に戻して係止し、打ち込み具１を培地上から移動させれば、押し込み棒３で培地Ａに開けた穴ｂの底に種ａを押し込んだ播種状態となり（図１（ｅ））、これを培地Ａ内で繰り返し行えばよく、培地Ａに形成した穴ｂの底に種ａが押し込まれているので、覆土も不要となる。
【００２０】
図２の第２のピストル方式は、打ち込み具１が、上下に長く下部先端を培地Ａ上に当接させる筒体２の内部に押し込み棒３を上下動自在に収納し、前記押し込み棒３の先端に種の吸着機能を付与し、上記第１のピストル方式と同様の機構で押し込み棒３を作動させることにより、先端で吸着された種ａを培地Ａ内に打ち込むようになっている。
【００２１】
上記押し込み棒３の先端に付与する種の吸着機能は、図示のように、押し込み棒３の軸心に沿って吸引孔５を設け、この吸引孔５を吸引源と接続する吸引方式や、押し込み棒３の先端に生じさせた静電気で種ａを吸着する静電方式を採用することができる。
【００２２】
第２のピストル方式は、上記のような打ち込み具を用いて実施するものであり、図２（ａ）のように、押し込み棒３を上昇位置に係止した打ち込み具１を手で保持し、外部から供給した種ａを押し込み棒３の先端で吸着した状態で、筒体２の下部先端を培地Ａ上に当接させ（図２（ｂ））、この状態で引き金を引くと、押し込み棒３が下降動し、吸着した種ａを先端で押し下げて培地Ａ内の所定深さの位置まで押し込み（図２（ｄ））、この後、押し込み棒３を上昇位置に戻して係止し、打ち込み具１を培地上から移動させれば、押し込み棒３で培地Ａに開けた穴ｂの底に種ａを押し込んだ播種状態となり（図２（ｅ））、これを培地Ａ内で繰り返し行えばよく、培地Ａに形成した穴ｂの底に種ａが押し込まれているので、覆土も不要となる。
【００２３】
図３と図４は、能率の向上を図るため、テープ６を用いるマシンガン方式の異なった例を示し、図３の第１のマシンガン方式は、長いテープ６の長さ方向に種ａが一定の間隔で担持されたものを用いる。
【００２４】
このテープ６は、二枚のテープを用いてその間に種ａを挟むことにより、種ａを長さ方向に一定間隔の配置とし、図示省略したがこのテープ６の側縁部には、種ａと等しい間隔で送り孔が設けてあり、前記種ａの保持部分に切れ目等を設けたり易破断部分とすることにより、打ち込み具１の押し込み棒３が切れ目や易破断部分でテープ６を支障なく貫通するように形成され、例えば、このテープ６はロール巻きの姿になっている。
【００２５】
打ち込み具１は、下部先端を培地上に当接させる筒体２の内部に、上記ピストル方式と同様の機構で上下動する押し込み棒３を収納し、前記筒体２の下部にテープ６が水平状態で貫通する通過孔７が設けられている。
【００２６】
図示省略したが、打ち込み具１には、筒体２の近傍位置に、ロール巻き状態のテープ６を装填するマガジンと、テープ６の送り孔と係合下状態で押し込み棒３を下降させる引き金又は、押し込み棒３の上昇動と連動され、テープ６を種ａの間隔と等しいピッチで長さ方向に間歇移動させるテープ送り機構が設けられている。
【００２７】
第１のマシンガン方式は、上記のような打ち込み具１を用いて実施するものであり、図３（ａ）のように、押し込み棒３を上昇位置に係止させ、マガジンに装填したロール巻きテープ６を引き出して通過孔７に通し、筒体２内に種ａを位置させた状態の打ち込み具１を保持し、その筒体２の下部先端を培地Ａ上に当接させ（図３（ｂ））、この状態で引き金を引くと、押し込み棒３が下降動し、テープ６を突き破って貫通するとき、このテープ６で担持された種ａを先端で押し下げてテープ６から離脱させ、この種ａを培地Ａ内の所定深さの位置まで押し込み（図３（ｃ））、この後、押し込み棒３を上昇させてテープ６から抜き取り、これを上昇位置に係止して打ち込み具１を培地Ａ上から移動させれば、押し込み棒３で培地Ａに開けた穴ｂの底に種ａを押し込んだ播種状態となり（図３（ｄ））、このような作業を培地Ａ内で繰り返し行えばよく、培地Ａに形成した穴ｂの底に種ａが押し込まれているので、覆土も不要となる。
【００２８】
また、押し込み棒３が上昇位置に戻ると、引き金や押し込み棒３と連動した送り機構によってテープ６が１ピッチ送られ、次位置の種ａが筒体２内に臨むことになり、次の播種が連続して可能になる。
【００２９】
図４の第２のマシンガン方式は、保形性があって培地内で発芽に適した材質の媒体８で包まれている種ａを長さ方向に一定の間隔で担持したテープ９を用いている。
【００３０】
上記種ａを包む発芽に適した材質の媒体８としては、培地Ａの水分で融けたり分解する紙粘土、土、水溶性材料を挙げることができ、図示のように、下端の尖った砲弾形に成形すると、培地Ａ内への進入性がよくなる。なお、打ち込み具１は、上記第１のマシンガン方式の場合と同様の構造になっている。
【００３１】
この第２のマシンガン方式で播種を行うには、図４（ａ）のように、押し込み棒３を上昇位置に係止させ、マガジンに装填したロール巻きテープ９を引き出して通過孔７に通し、筒体２内に種ａを内包した媒体８を位置させた状態の打ち込み具１を保持し、その筒体２の下部先端を培地Ａ上に当接させ（図４（ｂ））、この状態で引き金を引くと、押し込み棒３が下降動し、テープ９から担持された媒体８を先端で押し下げてテープ９から離脱させ、この媒体８を培地Ａ内の所定深さの位置まで押し込み（図４（ｃ））、この後、押し込み棒３を上昇させてテープ９から抜き取り、これを上昇位置に係止して打ち込み具１を培地Ａ上から移動させれば、押し込み棒３で培地Ａに押し込んだ媒体８によって、種ａを培地Ａ内に押し込んだ播種状態となり（図４（ｄ））、このような作業を培地Ａ内で繰り返し行えばよく、培地Ａに種ａを内包した媒体８が押し込まれているので、覆土も不要となる。
【００３２】
また、押し込み棒３が上昇位置に戻ると、引き金や押し込み棒３と連動した送り機構によってテープ９が１ピッチ送られ、次位置の媒体８が筒体２内に臨むことになり、次の播種が連続して可能になる。
【００３３】
なお、何れの場合においても、種ａは一粒でも複数粒であってもよいと共に、種ａを内包した媒体８は、それ単独でピストル方式に使用することもでき、また、播種は水稲の栽培に限定されるものではなく、各種植物の栽培に適用することができ、水稲を栽培する場合は、発芽後に培地に入水すればよい。
【図面の簡単な説明】
【００３４】
【図１】（ａ）乃至（ｅ）はこの発明に係る播種方法において、第１のピストル方式の作業工程を順番に示す工程図
【図２】（ａ）乃至（ｅ）はこの発明に係る播種方法において、第２のピストル方式の作業工程を順番に示す工程図
【図３】（ａ）乃至（ｄ）はこの発明に係る播種方法において、第１のマシンガン方式の作業工程を順番に示す工程図
【図４】（ａ）乃至（ｄ）はこの発明に係る播種方法において、第２のマシンガン方式の作業工程を順番に示す工程図
【符号の説明】
【００３５】
１        打ち込み具
２        筒体
３        押し込み棒
４        投入部
５        吸引孔
６        テープ
７        通過孔
８        媒体
９        テープ
【図１】
2008136449.tif 000003
【図２】
2008136449.tif 000004
【図３】
2008136449.tif 000005
【図４】
2008136449.tif 000006